【手続補正書】
【提出日】令和1年9月26日(2019.9.26)
【手続補正１】
【補正対象書類名】明細書
【補正対象項目名】００１７
【補正方法】変更
【補正の内容】
【００１７】
【図１】本発明の第１の実施の形態によるコネクタを含むコネクタ組立体を示す斜視図である。コネクタと相手側コネクタは未だ嵌合していない。コネクタのレセプタクルは筐体に取り付けられており、コネクタのアダプタは基板に搭載されている。筐体は、部分的に示されている。
【図２】図１のコネクタ組立体を示す他の斜視図である。コネクタと相手側コネクタとは嵌合状態にある。
【図３】図１のコネクタ組立体を示すＡ−Ａ線断面図である。コネクタに含まれるアダプタの内部モジュールの詳細は示されていない。
【図４】図２のコネクタ組立体を示すＢ−Ｂ線断面図である。コネクタに含まれるアダプタの内部モジュールの詳細は示されていない。
【図５】図１のコネクタ組立体に含まれるコネクタを示す斜視図である。コネクタのレセプタクルは筐体に取り付けられており、コネクタのアダプタは基板に搭載されている。筐体は、部分的に示されている。
【図６】図５のコネクタを示す他の斜視図である。
【図７】図５のコネクタを示す正面図である。
【図８】図７のコネクタを示すＣ−Ｃ線断面図である。コネクタの一部を拡大して示している。コネクタに含まれるアダプタの内部モジュールの詳細は示されていない。
【図９】図５のコネクタを示す背面図である。コネクタの一部を拡大して示している。
【図１０】図５のコネクタに含まれるレセプタクルを示す斜視図である。
【図１１】図１０のレセプタクルを示す他の斜視図である。
【図１２】図１０のレセプタクルを示す正面図である。
【図１３】図１０のレセプタクルを示す背面図である。
【図１４】図１２のレセプタクルを示すＤ−Ｄ線断面図である。
【図１５】本発明の第２の実施の形態によるコネクタを含むコネクタ組立体を示す斜視図である。コネクタと相手側コネクタは嵌合状態にあり、カップリングナットはレセプタクルから離れている。コネクタのレセプタクルは筐体に取り付けられており、コネクタのアダプタは基板に搭載されている。筐体は、部分的に示されている。
【図１６】図１５のコネクタ組立体を示す他の斜視図である。
【図１７】図１５のコネクタ組立体を示す他の斜視図である。カップリングナットはレセプタクルに固定されている。
【図１８】図１７のコネクタ組立体を示す他の斜視図である。
【図１９】図１８のコネクタ組立体を示す背面図である。
【図２０】図１９のコネクタ組立体を示すＥ−Ｅ線断面図である。
【図２１】図１５のコネクタ組立体に含まれるコネクタを示す斜視図である。コネクタのレセプタクルは筐体に取り付けられており、コネクタのアダプタは基板に搭載されている。筐体は、部分的に示されている。
【図２２】図２１のコネクタを示す他の斜視図である。
【図２３】図２１のコネクタを示す平面図である。
【図２４】図２１のコネクタを示す正面図である。
【図２５】図２１のコネクタを示す右側面図である。
【図２６】図２１のコネクタを示す背面図である。
【図２７】図２１のコネクタに含まれるレセプタクルを示す斜視図である。
【図２８】図２７のレセプタクルを示す他の斜視図である。
【図２９】図２７のレセプタクルの分解斜視図である。
【図３０】本発明の第３の実施の形態によるコネクタを含むコネクタ組立体を示す斜視図である。コネクタと相手側コネクタは嵌合状態にある。コネクタのレセプタクルは筐体に取り付けられており、コネクタのアダプタは基板に搭載されている。筐体は、部分的に示されている。
【図３１】図３０のコネクタ組立体を示す他の斜視図である。
【図３２】図３１のコネクタ組立体を示す背面図である。コネクタ組立体の一部を拡大して示している。
【図３３】図３０のコネクタ組立体に含まれるコネクタのレセプタクルを示す斜視図である。
【図３４】図３３のレセプタクルを示す他の斜視図である。
【図３５】図３３のレセプタクルを示す背面図である。
【図３６】図３３のレセプタクルを示す正面図である。
【図３７】図３６のレセプタクルを示すＦ−Ｆ線断面図である。
【図３８】図３１のコネクタ組立体に含まれる相手側コネクタを示す斜視図である。
【図３９】図３８の相手側コネクタと図３３のレセプタクルとの組み合わせを示す斜視図である。レセプタクルは、コネクタと相手コネクタとが嵌合状態にあるときの位置にある。
【図４０】図３９の相手側コネクタとレセプタクルとの組み合わせを示すＧ−Ｇ線断面図である。
【図４１】特許文献１に記載されたコネクタを示す斜視図である。
【図４２】特許文献２に記載された相手側エンクロージャーアセンブリを示す斜視図である。
【手続補正２】
【補正対象書類名】明細書
【補正対象項目名】００２１
【補正方法】変更
【補正の内容】
【００２１】
図１１及び図１４に示されるように、第１角筒状部１２４は、前後方向においてフランジ部１２２から後方へ突き出している。第２角筒状部１２６は、第１角筒状部１２４からさらに後方へ突き出している。図６及び図８から理解されるように、レセプタクル１２が筐体８０に取り付けられたとき、第１角筒状部１２４は嵌合方向に沿ってフランジ部１２２から筐体８０の内側（＋Ｘ方向）に向かって延びている。また、このとき、第２角筒状部１２６は、第１角筒状部１２４からさらに筐体８０の内側（＋Ｘ方向）に向かって延びている。一方、円筒状部１２８は、図１０、図１１及び図１４に示されるように、フランジ部１２２から前方へ突き出している。図５及び図８から理解されるように、レセプタクル１２が筐体８０に取り付けられたとき、円筒状部１２８は、フランジ部１２２から嵌合方向に沿って筐体８０の外側（−Ｘ方向）へ向かって延びている。
【手続補正３】
【補正対象書類名】明細書
【補正対象項目名】００３０
【補正方法】変更
【補正の内容】
【００３０】
図２７から図２９までの図に示されるように、円筒状部１２８Ａは、フランジ部１２２Ａから前方へ突き出している。図２１、図２３及び図２５に示されるように、円筒状部１２８Ａは、レセプタクル１２Ａが筐体８０Ａに取り付けられたとき、フランジ部１２２Ａから嵌合方向に沿って筐体８０Ａの外側（−Ｘ方向）へ向かって延びる。フランジ部１２２Ａには、コネクタ１０Ａと相手側コネクタ５０Ａ（図２０参照）とが嵌合したとき、それらの間を防水する防水部材２０４が取り付けられている。
【手続補正４】
【補正対象書類名】明細書
【補正対象項目名】００３１
【補正方法】変更
【補正の内容】
【００３１】
図２９から理解されるように、一対のアーム部２１０は、同一の構成を有している。詳しくは、各アーム部２１０は、所定形状の金属板を折り曲げて形成されている。各アーム部２１０は、接点（又は接触面）２１２と、接点２１２を支持する支持部２１４とを有している。支持部２１４は、弾性を有している。支持部２１４の一端（固定端）は、フランジ部１２２Ａに設けられた固定部１４４にねじ止めされる。但し、本発明はこれに限定されない。アーム部２１０は、レセプタクル本体２００に接着、溶接、圧入等の方法で固定されてもよい。支持部２１４の他端（自由端）は、少なくとも左右方向に移動可能である。接点２１２は、支持部２１４の一端（固定端）から離れている。望ましくは、接点２１２は、支持部２１４の他端（自由端）の近くに位置する。接点２１２は、支持部２１４の弾性変形により、少なくとも左右方向に移動可能となるように支持部２１４に支持される。アーム部２１０の形状は、特に限定されないが、接点２１２が左右方向において内側に向くように形成される。図２２を併せて参照すると、左右方向において、一対の接点２１２の間隔は、アダプタ１６の幅よりも狭い。アダプタ１６を一対の接点２１２の間に位置させると、アーム部２１０はアダプタ１６を挟み、接点２１２は支持部２１４の復元力によってアダプタ１６に押し付けられる。こうして、本実施の形態においては、アーム部２１０がケージ１６４に接触する接触部として働く。これにより、アダプタ１６のケージ１６４とレセプタクル１２Ａとが、アーム部２１０によって電気的に接続される。なお、本実施の形態では、一対のアーム部２１０が同一の構成を有し、ともに弾性を有しているが、一対のアーム部２１０の一方が弾性を有していればよい。また、本実施の形態では、一対のアーム部２１０が左右方向に配置されているが、アーム部２１０は、上下方向に配置されてもよい。あるいは、一対のアーム部２１０を左右方向に配置し、別の一対のアーム部を上下方向に配置してもよい。また、本実施の形態において、ケージ１６４の前端部には、その上面、下面及び側面に、切り起こされ曲げ加工された複数の弾性片１６６が設けられている。しかしながら、本発明はこれに限られない。ケージ１６４は弾性片１６６を有していなくてもよい。換言すると、ケージ１６４の上面、下面及び一対の側面は、平面であってもよい。アーム部２１０は、支持部２１４の弾性により、弾性片１６６の有無にかかわらず、ケージ１６４に接触できる。
【手続補正５】
【補正対象書類名】明細書
【補正対象項目名】００４０
【補正方法】変更
【補正の内容】
【００４０】
図３２に示されるように、本実施の形態において、ケージ１６４の弾性片１６６は、レセプタクル１２Ｂの角筒状部１２６Ｂの内面に接触し、ケージ１６４をレセプタクル１２Ｂに電気的に接続する。
【手続補正６】
【補正対象書類名】明細書
【補正対象項目名】００４３
【補正方法】変更
【補正の内容】
【００４３】
以上、本発明についていくつかの実施の形態を掲げて具体的に説明してきたが、本発明は、これらに限定されるものではなく、種々の変形、変更が可能である。例えば、上記実施の形態では、レセプタクル１２，１２Ａ，１２Ｂ、ケージ１６４及び接触部（弾性片１６６、アーム部２１０）がすべて金属製であるとしたが、これらのうちの一部または全部は、絶縁樹脂の表面に導電膜を形成して構成されてもよい。また、上記実施の形態では、レセプタクル１２，１２Ａ，１２Ｂの各々は、筐体８０、８０Ａ又は８０Ｂに取り付けられているが、筐体８０、８０Ａ又は８０Ｂを構成する部品、例えばフロントパネル等に取り付けられてもよい。
【手続補正７】
【補正対象書類名】図面
【補正対象項目名】図３９
【補正方法】変更
【補正の内容】
【図３９】
2018092051.tif 000001